(57)【特許請求の範囲】
【請求項１】
入力された高周波信号に基づき中間周波数信号を出力する受信周波数変換装置において、
前記高周波信号を増幅する増幅手段と、
前記増幅手段の出力の所定帯域の周波数成分を通過させる並列接続された複数の帯域通過手段と、
局部発振信号を生成する電圧制御発振器を有し且つ該局部発振信号及び所定の周波数設定データの互いの位相が一致するように該電圧制御発振器を制御する位相同期ループ回路と、
前記各帯域通過手段の何れかの出力信号と前記電圧制御発振器からの局部発振信号とを混合し中間周波数信号を出力する混合手段と、
前記各帯域通過手段の何れかの入力を前記増幅手段に接続する第一の切替手段と、
前記各帯域通過手段の何れかの出力を前記混合手段に接続する第二の切替手段と、
前記位相同期ループ回路に入力される周波数設定データの一部を読み取り、該読み取り値に応じて前記第一及び第二の切替手段の切替動作を制御する制御手段とを具備し、
前記制御手段は、前記位相同期ループ回路の周波数設定データから任意ビット数のシリアルデータを抽出する抽出手段と、該抽出手段で抽出した前記任意ビット数のシリアルデータをパラレルデータに変換し前記第一及び第二の切替手段に出力する変換手段とを具備することを特徴とする受信周波数変換装置。
【請求項２】
入力された高周波信号に基づき中間周波数信号を出力する受信周波数変換装置において、
前記高周波信号を増幅する並列接続された複数の増幅手段と、
前記各増幅手段に各々接続され前記各増幅手段の出力の所定帯域の周波数成分を通過させる複数の帯域通過手段と、
局部発振信号を生成する電圧制御発振器を有し且つ該局部発振信号及び所定の周波数設定データの互いの位相が一致するように該電圧制御発振器を制御する位相同期ループ回路と、
前記各帯域通過手段の何れかの出力信号と前記電圧制御発振器からの局部発振信号とを混合し中間周波数信号を出力する混合手段と、
前記各増幅手段の何れかの入力を前記高周波信号の供給部に接続する第一の切替手段と、
前記各帯域通過手段の何れかの出力を前記混合手段に接続する第二の切替手段と、
前記位相同期ループ回路に入力される周波数設定データの一部を読み取り、該読み取り値に応じて前記第一及び第二の切替手段の切替動作を制御する制御手段とを具備し、
前記制御手段は、前記位相同期ループ回路の周波数設定データから任意ビット数のシリアルデータを抽出する抽出手段と、該抽出手段で抽出した前記任意ビット数のシリアルデータをパラレルデータに変換し前記第一及び第二の切替手段に出力する変換手段とを具備することを特徴とする受信周波数変換装置。
【請求項３】
入力された高周波信号に基づき中間周波数信号を出力する受信周波数変換装置において、
前記高周波信号を増幅する増幅手段と、
前記増幅手段の出力の所定帯域の周波数成分を通過させる並列接続された複数の帯域通過手段と、
局部発振信号を生成する電圧制御発振器を有し且つ該局部発振信号及び所定の周波数設定データの互いの位相が一致するように該電圧制御発振器を制御する位相同期ループ回路と、
前記各帯域通過手段の何れかの出力信号と前記電圧制御発振器からの局部発振信号とを混合し中間周波数信号を出力する混合手段と、
前記各帯域通過手段の何れかの入力を前記増幅手段に接続する第一の切替手段と、
前記各帯域通過手段の何れかの出力を前記混合手段に接続する第二の切替手段と、
を備えた受信周波数変換装置に適用される周波数帯域切替方法であって、
前記受信周波数変換装置が、前記位相同期ループ回路に入力される周波数設定データの一部を読み取り、該読み取り値に応じて前記第一及び第二の切替手段の切替動作を制御する制御手段を用いて、前記位相同期ループ回路の周波数設定データから任意ビット数のシリアルデータを抽出し、抽出した前記任意ビット数のシリアルデータをパラレルデータに変換し前記第一及び第二の切替手段に出力することを特徴とする周波数帯域切替方法。
【請求項４】
入力された高周波信号に基づき中間周波数信号を出力する受信周波数変換装置において、
前記高周波信号を増幅する並列接続された複数の増幅手段と、
前記各増幅手段に各々接続され前記各増幅手段の出力の所定帯域の周波数成分を通過させる複数の帯域通過手段と、
局部発振信号を生成する電圧制御発振器を有し且つ該局部発振信号及び所定の周波数設定データの互いの位相が一致するように該電圧制御発振器を制御する位相同期ループ回路と、
前記各帯域通過手段の何れかの出力信号と前記電圧制御発振器からの局部発振信号とを混合し中間周波数信号を出力する混合手段と、
前記各増幅手段の何れかの入力を前記高周波信号の供給部に接続する第一の切替手段と、
前記各帯域通過手段の何れかの出力を前記混合手段に接続する第二の切替手段と、
を備えた受信周波数変換装置に適用される周波数帯域切替方法であって、
前記受信周波数変換装置が、前記位相同期ループ回路に入力される周波数設定データの一部を読み取り、該読み取り値に応じて前記第一及び第二の切替手段の切替動作を制御する制御手段を用いて、前記位相同期ループ回路の周波数設定データから任意ビット数のシリアルデータを抽出し、抽出した前記任意ビット数のシリアルデータをパラレルデータに変換し前記第一及び第二の切替手段に出力することを特徴とする周波数帯域切替方法。
【請求項５】
入力された高周波信号に基づき中間周波数信号を出力して復調する受信装置において、
前記高周波信号を増幅する増幅手段と、
前記増幅手段の出力の所定帯域の周波数成分を通過させる並列接続された複数の帯域通過手段と、
局部発振信号を生成する電圧制御発振器を有し且つ該局部発振信号及び所定の周波数設定データの互いの位相が一致するように該電圧制御発振器を制御する位相同期ループ回路と、
前記各帯域通過手段の何れかの出力信号と前記電圧制御発振器からの局部発振信号とを混合し中間周波数信号を出力する混合手段と、
前記各帯域通過手段の何れかの入力を前記増幅手段に接続する第一の切替手段と、
前記各帯域通過手段の何れかの出力を前記混合手段に接続する第二の切替手段と、
前記位相同期ループ回路に入力される周波数設定データの一部を読み取り、該読み取り値に応じて前記第一及び第二の切替手段の切替動作を制御する制御手段とを具備し、
前記制御手段は、前記位相同期ループ回路の周波数設定データから任意ビット数のシリアルデータを抽出する抽出手段と、該抽出手段で抽出した前記任意ビット数のシリアルデータをパラレルデータに変換し前記第一及び第二の切替手段に出力する変換手段とを具備し、
前記混合手段の中間周波数出力を増幅して復調する中間周波数段により復調信号を得ることを特徴とする受信装置。
【発明の詳細な説明】
【０００１】
【発明の属する技術分野】
本発明は、受信周波数変換装置及び周波数帯域切替方法に関し、特に、混合器の前段に並列接続された複数の帯域通過フィルタを自動的に切り替える場合に好適な受信周波数変換装置及び周波数帯域切替方法、及びその受信装置に関する。
【０００２】
【従来の技術】
従来、受信装置の高周波段に用いるミキサーの受信周波数変換器としては、例えば図４や図５に示すものがある。図４の受信周波数変換器は、高周波（ＲＦ）信号を増幅する低雑音増幅器（ＬＮＡ：Ｌｏｗ  Ｎｏｉｓｅ  Ａｍｐ）４１と、低雑音増幅器４１の出力信号のうち所定帯域の周波数成分を通過させる帯域通過フィルタ（ＢＰＦ）４２と、帯域通過フィルタ４２の出力信号と発振器からの局部発振信号（Ｌｏ）とを混合し中間周波数（ＩＦ）信号を生成する混合器（ＭＩＸ）４３とを備えている。
【０００３】
また、図５の受信周波数変換器は、高周波信号を増幅する低雑音増幅器５１と、低雑音増幅器５１の出力を切り替える切替スイッチ（ＲＦ  ＳＷ１）５２と、低雑音増幅器５１の出力信号のうち所定帯域の周波数成分を通過させる帯域通過フィルタ（ＢＰＦ１）５３、帯域通過フィルタ（ＢＰＦ２）５４と、両フィルタ５３、５４の出力を切り替える切替スイッチ（ＲＦ  ＳＷ２）５５と、両フィルタ５３、５４の一方の出力信号と発振器からの局部発振信号（Ｌｏ）とを混合し中間周波数信号を生成する混合器（ＭＩＸ）５６とを備えている。この場合、上記切替スイッチ５２、５５は手動で操作されるスイッチである。
【０００４】
上記図４及び図５に示した如く、従来の受信周波数変換器では、イメージ周波数帯域のサーマルノイズによる混合器のＮＦ（雑音指数）劣化を改善するため、混合器の前段に帯域通過フィルタを接続し、イメージ周波数帯域のサーマルノイズを減衰させＮＦ劣化量の改善を行っている。
【０００５】
ここで、ビットエラーレート劣化防止に関する従来例としては、例えば特開平１１−２０５１７０号公報に記載のものが提案されている。同公報は、不要波や高域ノイズによるビットエラーレートの劣化防止を目的としたものであり、受信した複数チャンネルのデジタル衛星放送信号の高周波信号を入力し、希望チャンネルの中心周波数と同一周波数の局部発振信号で検波して復調Ｉ信号を、該局部発振信号を９０度位相シフトさせた信号で検波してＱ信号を夫々生成する高周波直接直交検波手段と、通過帯域幅が該希望チャンネルに応じて設定され、ダイレクト検波方式のように、該希望チャンネルに隣接したチャンネルの復調Ｉ、Ｑ信号を除去するようにした可変通過帯域幅の低域フィルタと、該低域フィルタからの該希望チャンネルの復調Ｉ、Ｑを２進数に符号化する２値符号化手段と、該２値符号化手段で符号化された信号をデジタル復調及びエラー訂正され、該希望チャンネルのデジタル復調信号を出力するデジタル復調手段とを有し、前記低域フィルタは、予め定められた通過帯域幅が切換え設定されることを特徴とするデジタル衛星放送用受信機が開示されている。
【０００６】
また、受信帯域内のノイズ軽減に関する従来例としては、例えば特開平１１−２４２７５９号公報に記載のものが提案されている。同公報は、受信帯域内のノイズ軽減、妨害波となる不要到来波の影響の軽減を目的としたものであり、受信信号を受信周波数に応じた中間周波信号に変換する中間周波変換手段と、中間周波信号を選択するそれぞれ設定周波数の異なる複数の中間周波フィルタと、これらの中間周波フィルタを切換えて前記中間周波変換手段に接続する切換スイッチと、この切換スイッチを一定周期で順次切換え制御すると共に、前記中間周波フィルタの接続状態を示す中間周波フィルタ状態信号を出力する切換タイミング発生器と、前記中間周波数フィルタから出力される受信データを検出し、前記中間周波数フィルタ状態信号により前記受信データを出力している中間周波フィルタが継続して選択されるように前記切換タイミング発生器に切換スイッチ固定指令信号を出力する制御手段とを具備したことを特徴とする車載器が開示されている。
【０００７】
【発明が解決しようとする課題】
しかしながら、上述した従来例においては次のような問題点があった。
【０００８】
上記図４及び図５に示した如く、従来の受信周波数変換器では、イメージ周波数帯域のサーマルノイズによる混合器のＮＦ劣化を改善するため、混合器の前段に帯域通過フィルタを接続し、イメージ周波数帯域のサーマルノイズを減衰させＮＦ劣化量の改善を行っている。しかし、受信周波数変換器の中には中間周波数（ＩＦ）に対し受信帯域（ＲＦ＿ＢＡＮＤ）が広いものがあり、こうなると帯域通過フィルタ１種類では対応できなくなる。このため、従来は、上記図４に示したように受信周波数変換器のタイプを分け、実装する帯域通過フィルタの乗せ換えを行ったり、上記図５に示したように並列に配置した帯域通過フィルタを手動で切り替えることにより対応していた。
【０００９】
本発明の目的は、並列に接続した帯域通過フィルタの切り替え精度を、読み込む周波数設定データのビット数、位置を変えることで自由に選択可能とすると共に、並列に接続した帯域通過フィルタの数×帯域通過フィルタの周波数帯域で一定量のイメージ周波数帯域の減衰を可能とした受信周波数変換装置及び周波数帯域切替方法を提供するものである。
【００１０】
【課題を解決するための手段】
本発明は、入力された高周波信号に基づき中間周波数信号を出力する受信周波数変換装置において、前記高周波信号を増幅する増幅手段と、前記増幅手段の出力の所定帯域の周波数成分を通過させる並列接続された複数の帯域通過手段と、局部発振信号を生成する電圧制御発振器を有し且つ該局部発振信号及び所定の周波数設定データの互いの位相が一致するように該電圧制御発振器を制御する位相同期ループ回路と、前記各帯域通過手段の何れかの出力信号と前記電圧制御発振器からの局部発振信号とを混合し中間周波数信号を出力する混合手段と、前記各帯域通過手段の何れかの入力を前記増幅手段に接続する第一の切替手段と、前記各帯域通過手段の何れかの出力を前記混合手段に接続する第二の切替手段と、前記位相同期ループ回路に入力される周波数設定データの一部を読み取り、該読み取り値に応じて前記第一及び第二の切替手段の切替動作を制御する制御手段とを具備し、前記制御手段は、前記位相同期ループ回路の周波数設定データから任意ビット数のシリアルデータを抽出する抽出手段と、該抽出手段で抽出した前記任意ビット数のシリアルデータをパラレルデータに変換し前記第一及び第二の切替手段に出力する変換手段とを具備することを特徴とする。
【００１１】
また、本発明は、入力された高周波信号に基づき中間周波数信号を出力する受信周波数変換装置において、前記高周波信号を増幅する増幅手段と、前記増幅手段の出力の所定帯域の周波数成分を通過させる並列接続された複数の帯域通過手段と、局部発振信号を生成する電圧制御発振器を有し且つ該局部発振信号及び所定の周波数設定データの互いの位相が一致するように該電圧制御発振器を制御する位相同期ループ回路と、前記各帯域通過手段の何れかの出力信号と前記電圧制御発振器からの局部発振信号とを混合し中間周波数信号を出力する混合手段と、前記各帯域通過手段の何れかの入力を前記増幅手段に接続する第一の切替手段と、前記各帯域通過手段の何れかの出力を前記混合手段に接続する第二の切替手段と、を備えた受信周波数変換装置に適用される周波数帯域切替方法であって、前記受信周波数変換装置が、前記位相同期ループ回路に入力される周波数設定データの一部を読み取り、該読み取り値に応じて前記第一及び第二の切替手段の切替動作を制御する制御手段を用いて、前記位相同期ループ回路の周波数設定データから任意ビット数のシリアルデータを抽出し、抽出した前記任意ビット数のシリアルデータをパラレルデータに変換し前記第一及び第二の切替手段に出力することを特徴とする。
【００１２】
また、本発明は、入力された高周波信号に基づき中間周波数信号を出力して復調する受信装置において、前記高周波信号を増幅する増幅手段と、前記増幅手段の出力の所定帯域の周波数成分を通過させる並列接続された複数の帯域通過手段と、局部発振信号を生成する電圧制御発振器を有し且つ該局部発振信号及び所定の周波数設定データの互いの位相が一致するように該電圧制御発振器を制御する位相同期ループ回路と、前記各帯域通過手段の何れかの出力信号と前記電圧制御発振器からの局部発振信号とを混合し中間周波数信号を出力する混合手段と、前記各帯域通過手段の何れかの入力を前記増幅手段に接続する第一の切替手段と、前記各帯域通過手段の何れかの出力を前記混合手段に接続する第二の切替手段と、前記位相同期ループ回路に入力される周波数設定データの一部を読み取り、該読み取り値に応じて前記第一及び第二の切替手段の切替動作を制御する制御手段とを具備し、前記制御手段は、前記位相同期ループ回路の周波数設定データから任意ビット数のシリアルデータを抽出する抽出手段と、該抽出手段で抽出した前記任意ビット数のシリアルデータをパラレルデータに変換し前記第一及び第二の切替手段に出力する変換手段とを具備し、前記混合手段の中間周波数出力を増幅して復調する中間周波数段により復調信号を得ることを特徴とする。
【００１３】
また、本発明の受信周波数変換装置は、図１及び図２を参照しつつ説明すれば、前記高周波信号を増幅する増幅手段（１）と、前記増幅手段（１）の出力の所定帯域の周波数成分を通過させる並列接続された複数の帯域通過手段（３、４）と、局部発振信号を生成する電圧制御発振器（１０）を有し且つ該局部発振信号及び所定の周波数設定データの互いの位相が一致するように該電圧制御発振器（１０）を制御する位相同期ループ回路（８）と、前記各帯域通過手段（３、４）の何れかの出力信号と前記電圧制御発振器（１０）からの局部発振信号とを混合し中間周波数信号を出力する混合手段（６）と、前記各帯域通過手段（３、４）の何れかの入力を前記増幅手段（１）に接続する第一の切替手段（２）と、前記各帯域通過手段（３、４）の何れかの出力を前記混合手段（６）に接続する第二の切替手段（５）と、前記位相同期ループ回路（８）に入力される周波数設定データの一部を読み取り、該読み取り値に応じて前記第一及び第二の切替手段（２、５）の切替動作を制御する制御手段（７）とを具備し、制御手段（７）は、位相同期ループ回路（８）の周波数設定データから任意ビット数のシリアルデータを抽出する抽出手段（２１）と、該抽出手段（２１）で抽出した前記任意ビット数のシリアルデータをパラレルデータに変換し前記第一及び第二の切替手段（２、５）に出力する変換手段（２２）とを具備している。
【００１４】
［作用］
本発明の受信周波数変換装置は、制御手段が、周波数設定データに基づき第一の切替手段及び第二の切替手段の切替動作を制御するようにしている。このため、並列接続した複数の帯域通過手段の切り替え精度は、制御手段で読み込む所定ビット数で表現する周波数設定データのビット数、及びその所定ビット中の読み込む位置を変えることで、自由に選択することが可能となると共に、並列接続した帯域通過手段の数×帯域通過手段の周波数帯域で一定量のイメージ周波数帯域の減衰が可能となる。
【００１５】
【発明の実施の形態】
［第１の実施形態］
次に、本発明の第１の実施形態について図面を参照して詳細に説明する。
【００１６】
（１）構成の説明
図１は本発明の第１の実施形態の受信周波数変換器の構成例を示すブロック図である。図１において、本発明の実施形態の受信周波数変換器は、低雑音増幅器（ＬＮＡ）１と、切替スイッチ（ＲＦ  ＳＷ１）２と、帯域通過フィルタ（ＢＰＦ１）３と、帯域通過フィルタ（ＢＰＦ２）４と、切替スイッチ（ＲＦ  ＳＷ２）５と、混合器（ＭＩＸ）６と、制御回路７と、ＰＬＬ  ＩＣ（Ｐｈａｓｅ  Ｌｏｃｋｅｄ  Ｌｏｏｐ  ＩＣ）８と、低域通過フィルタ（ＬＰＦ）９と、電圧制御発振器（ＶＣＯ：Ｖｏｌｔａｇｅ  Ｃｏｎｔｒｏｌ  Ｏｓｃｉｌｌａｔｏｒ）１０とを備えている。
【００１７】
上記構成を詳述すると、低雑音増幅器１は、ＨＥＭＴ（Ｈｉｇｈ  Ｅｌｅｃｔｒｏｎ  ｍｏｂｉｌｉｔｙ  Ｔｒａｎｓｉｓｔｏｒ）素子やＳｉＧｅ素子、ＭＯＳＦＥＴ等の回路を用いて、高周波（ＲＦ）信号を増幅する。切替スイッチ２は、ＭＯＳＦＥＴやＰＩＮダイオード等を用いて、制御回路７の制御に基づき接点２ａ側に切り替えられた場合は低雑音増幅器１の出力を帯域通過フィルタ３へ切り替え、接点２ｂ側に切り替えられた場合は低雑音増幅器１の出力を帯域通過フィルタ４へ切り替える。帯域通過フィルタ３は、ＣＲフィルタやＬＣフィルタ等を用いて、切替スイッチ２が接点２ａ側に切り替えられた場合、低雑音増幅器１の出力信号のうち所定帯域の周波数成分を通過させる。帯域通過フィルタ４は、帯域通過フィルタ３とは異なる通過帯域を有するＣＲフィルタやＬＣフィルタ等を用いて、切替スイッチ２が接点２ｂ側に切り替えられた場合、低雑音増幅器１の出力信号のうち所定帯域の周波数成分を通過させる。
【００１８】
切替スイッチ５は、制御回路７の制御に基づき接点５ａ側に切り替えられた場合は帯域通過フィルタ３の出力を混合器６へ接続し、接点５ｂ側に切り替えられた場合は帯域通過フィルタ４の出力を混合器６へ接続する。混合器６は、帯域通過フィルタ３または帯域通過フィルタ４の出力信号と電圧制御発振器１０の出力信号とを混合し中間周波数（ＩＦ）信号を生成する。この場合、低雑音増幅器１、混合器６が受信周波数変換器のフロントエンド部を構成している。
【００１９】
制御回路７は、受信周波数変換器内のＰＬＬ回路周波数設定データの一部を読み取り、その読み取り値に応じて、切替スイッチ２及び切替スイッチ５を制御する。この制御回路７により、帯域通過フィルタ３、帯域通過フィルタ４を自動的に切り替えるようになっている。ＰＬＬ  ＩＣ８、低域通過フィルタ９、電圧制御発振器１０は、公知のスワローカウンタＰＬＬ回路を構成している。スワローカウンタＰＬＬ回路は、電圧制御発振器１０の出力信号の位相と周波数設定データの位相とを比較しながら、２つの位相が一致するように制御する。
【００２０】
ＰＬＬ  ＩＣ８は、電圧制御発振器１０の出力信号と周波数設定データとの位相差に比例した誤差信号を低域通過フィルタ９に出力する。低域通過フィルタ９は、上記誤差信号から高周波成分を除去し、所定周波数以下の周波数成分を通過させる。電圧制御発振器１０は、低域通過フィルタ９の出力に基づき発振周波数を制御し、ＰＬＬ  ＩＣ８と混合器６とへ局部発振信号を出力する。
【００２１】
即ち、本発明の実施形態の受信周波数変換器は、低雑音増幅器１、混合器６で構成される受信周波数変換器のフロントエンド部、及びＰＬＬ  ＩＣ８、低域通過フィルタ９、電圧制御発振器１０で構成されるスワローカウンタＰＬＬ回路に対し、周波数設定信号の任意ビット数のデータを検出し該検出したデータの値に応じて周波数帯域の切り替え制御を行う制御回路７、制御回路７の制御を受けて周波数帯域を切り替える切替スイッチ２、５、帯域通過フィルタ３、４を付加して構成されている。
【００２２】
また、図２は本発明の実施形態の受信周波数変換器の制御回路７の構成例を示すブロック図である。本発明の実施形態の受信周波数変換器の制御回路７は、マスク回路２１と、シリアル／パラレル変換回路２２とを備えている。
【００２３】
上記構成を詳述すると、マスク回路２１は、入力された周波数設定データから大まかにカウントするＢカウンタ設定信号と、Ｂカウンタを細分するＡカウンタ設定信号の任意ビット数の所定データを取り出す。この場合、マスク回路２１で取り出すビット数によって切替数を任意に設定することができる。シリアル／パラレル変換回路２２は、マスク回路２１によって取り出された任意のビットを入力し、シリアルデータからパラレルデータへ変換し、切替スイッチ２、５に入力する。従って、帯域通過フィルタ３，４の切り替えはＢカウンタの設定信号に従い、マスタ回路ではＡカウンタの設定信号を読まなくてもよい。
【００２４】
（２）動作の説明
次に、本発明の実施形態の動作について図１〜図２を参照して詳細に説明する。
【００２５】
受信周波数変換器の制御回路７は、入力された所定ビット数の周波数設定データから、マスク回路２１にてＢカウンタ設定信号の任意ビット数のデータを取り出す。この取り出すビット数によって切替数を任意に設定することができる。次に、制御回路７のマスク回路２１によって取り出された任意のビットは、制御回路７のシリアル／パラレル変換回路２２に入力され、シリアルデータからパラレルデータへ変換され、切替スイッチ２、５に入力される。切替スイッチ２、５は、制御回路７のシリアル／パラレル変換回路２２から入力された信号に従い帯域通過フィルタ３及び帯域通過フィルタ４を切り替えることにより、周波数帯域の自動切り替えを行う。
【００２６】
ここで、本実施形態の補足説明を行うと、パルススワロー方式のＰＬＬ回路を例にとると、発振周波数（Ｆｒｆ）は下記の式（式１、式２）で求められる。通常、比較周波数、２モジュラスプリスケーラの分周比は固定されているため、Ｂカウンタの値を読むことでおおよその発振周波数（Ｆｒｆ）を知ることができる。
【００２７】
Ｆｒｆ＝Ｎ×比較周波数  （式１）
Ｎ＝（Ｂ×Ｙ＋Ａ）  （式２）
Ｎ：分周比、Ｙ：２モジュラスプリスケーラ分周数
Ａ：Ａカウンタ値、Ｂ：Ｂカウンタ値
以上説明したように、本発明の実施形態によれば、上記従来例の図４に示した帯域通過フィルタの乗せ換えや、上記従来例の図５に示した手動でのスイッチ切り替えで対応していた周波数帯域の切り替えを、図１に示すように受信周波数変換器内のＰＬＬ回路周波数設定データの一部を制御回路７で読み取り、その値に応じて切替スイッチ２、５を制御し、帯域通過フィルタ３、４を自動で切り替える。また、帯域通過フィルタ３、４を並列に多段接続することにより、低雑音増幅器１または混合器６の使用周波数範囲まで対応させることができ、帯域通過フィルタ３、４の切り替え精度は、制御回路７で読み込む周波数設定データのビット数、位置によって任意に設定することが可能である。
【００２８】
従って、並列に接続した帯域通過フィルタの切り替え精度は、制御回路７で読み込む所定ビット数の周波数設定データのビット数、その所定ビット数の読み込む位置を変えることで、自由に選択することが可能となると共に、並列に接続した帯域通過フィルタの数×帯域通過フィルタの周波数帯域で一定量のイメージ周波数帯域の減衰が可能となる効果が得られる。
【００２９】
［第２の実施形態］
次に、本発明の第２の実施形態について図面を参照して詳細に説明する。
【００３０】
（１）構成の説明
図３は本発明の第２の実施形態の受信周波数変換器の構成例を示すブロック図である。図３において、本発明の他の実施形態の受信周波数変換器は、切替スイッチ（ＲＦ  ＳＷ１）３１と、低雑音増幅器（ＬＮＡ１）３２と、低雑音増幅器（ＬＮＡ２）３３と、帯域通過フィルタ（ＢＰＦ１）３４と、帯域通過フィルタ（ＢＰＦ２）３５と、切替スイッチ（ＲＦ  ＳＷ２）３６と、混合器（ＭＩＸ）３７と、制御回路３８とを備えている。
【００３１】
上記構成を詳述すると、切替スイッチ３１は、制御回路３８の制御に基づき接点３１ａ側に切り替えられた場合は高周波（ＲＦ）信号を低雑音増幅器３２へ供給し、接点３１ｂ側に切り替えられた場合は高周波（ＲＦ）信号を低雑音増幅器３３へ供給する。低雑音増幅器３２、３３は、高周波（ＲＦ）信号を増幅する。帯域通過フィルタ３４は、切替スイッチ３１が接点３１ａ側に切り替えられた場合、低雑音増幅器３２の出力信号のうち所定帯域の周波数成分を通過させる。帯域通過フィルタ３５は、切替スイッチ３１が接点３１ｂ側に切り替えられた場合、低雑音増幅器３３の出力信号のうち所定帯域の周波数成分を通過させる。
【００３２】
切替スイッチ３６は、制御回路３８の制御に基づき接点３６ａ側に切り替えられた場合は帯域通過フィルタ３４の出力を混合器３７へ接続し、接点３６ｂ側に切り替えられた場合は帯域通過フィルタ３５の出力を混合器３７へ接続する。混合器３７は、帯域通過フィルタ３４または帯域通過フィルタ３５の出力信号と電圧制御発振器（図示略）の出力信号とを混合し中間周波数（ＩＦ）信号を生成する。
【００３３】
制御回路３８は、受信周波数変換器内のＰＬＬ回路周波数設定データの一部を読み取り、その読み取り値に応じて切替スイッチ３１及び切替スイッチ３６を制御する。これにより、帯域通過フィルタ３４、帯域通過フィルタ３５を自動的に切り替えるようになっている。尚、制御回路３８の内部構成は上記実施形態の図２と同様であるため、図示及び説明は省略する。
【００３４】
（２）動作の説明
次に、本発明の第２の実施形態の動作について図３を参照して詳細に説明する。  受信周波数変換器の制御回路３８は、上記実施形態と同様に、入力された周波数設定データから任意ビット数のデータを取り出し、シリアルデータからパラレルデータへ変換し、切替スイッチ３１、３６に入力する。切替スイッチ３１、３６は、制御回路３８から入力された信号に従い帯域通過フィルタ３４及び帯域通過フィルタ３５を切り替えることにより、周波数帯域の自動切り替えを行う。即ち、低雑音増幅器３２、３３込みで帯域通過フィルタ３４、３５の周波数帯域切り替えを行うことにより、混合器３７の使用周波数範囲まで帯域通過フィルタ３４、３５の周波数帯域を拡張することができる。
【００３５】
以上説明したように、本発明の第２の実施形態によれば、上記実施形態と同様に、並列に接続した帯域通過フィルタの切り替え精度は、制御回路３８で読み込む周波数設定データのビット数、位置を変えることで自由に選択することが可能となると共に、並列に接続した帯域通過フィルタの数×帯域通過フィルタの周波数帯域で一定量のイメージ周波数帯域の減衰が可能となる効果が得られる。
【００３６】
ここで、ＰＬＬの設定周波数は上述した（式１），（式２）で求められる。例えば、周波数設定データのＢＩＴ位置で切替の精度が設定可能というのは、設定周波数のステップ（（式１）の比較周波数のこと）を、２５０ｋＨｚにした場合、Ａカウンタの最下位ＢＩＴを取り出して、ＢＡＮＤの切替を行うと、２５０ｋＨｚで、ＢＡＮＤの切替が出来、Ａカウンタの下位２ＢＩＴ目を取り出して、ＢＡＮＤの切替を行うと、５００ｋＨｚでＢＡＮＤの切替が出来る、ということを指している。また、読み込むビット数で、切替精度を切替えるというのは、Ａカウンタの最下位ＢＩＴから、３ＢＩＴまでを読み込めば、８段階の切替が可能であり、４ビット目までを読み込めば１６段階の切替が可能と言うことである。
【００３７】
なお、上記各実施形態に用いた高周波段に加えて、受信装置では、中間周波数段によって、送信された信号を復調してベースバンドとし、ベースバンド信号を所定のフォーマットで送信されたデータや、音声、画像信号を出力することにより、混変調や相互変調の少ない、正確なデータとして出力することができる。
【００３８】
【発明の効果】
以上説明したように本発明によれば、受信周波数変換装置の制御手段が、位相同期ループ回路の周波数設定データの一部を読み取り、該読み取り値に応じて第一の切替手段及び第二の切替手段の切替動作を制御し、並列接続した複数の帯域通過手段を切り替え制御するようにしているため、並列接続した複数の帯域通過手段の切り替え精度は、制御手段で読み込む周波数設定データのビット数、位置を変えることで自由に選択することが可能となると共に、並列接続した帯域通過手段の数×帯域通過手段の周波数帯域で一定量のイメージ周波数帯域の減衰が可能となる効果が得られる。
【図面の簡単な説明】
【図１】本発明の実施形態の受信周波数変換器の構成例を示すブロック図である。
【図２】本発明の実施形態の受信周波数変換器の制御回路の構成例を示すブロック図である。
【図３】本発明の実施形態の受信周波数変換器の構成例を示すブロック図である。
【図４】従来例の受信周波数変換器の構成例を示すブロック図である。
【図５】従来例の受信周波数変換器の構成例を示すブロック図である。
【符号の説明】
１、３２、３３  低雑音増幅器
２、５、３１、３６  切替スイッチ
３、４、３４、３５  帯域通過フィルタ
６、３７  混合器
７、３８  制御回路
８  ＰＬＬ  ＩＣ
９  低域通過フィルタ
１０  電圧制御発振器
【図１】
0003570544.tif 000002
【図２】
0003570544.tif 000003
【図３】
0003570544.tif 000004
【図４】
0003570544.tif 000005
【図５】
0003570544.tif 000006